(57)【要約】  【課題】簡素化および小形化できる紙幣処理装置を提供する。  【解決手段】受入部13と払出部14とを上下に並設する。受入部13と払出部14との間に搬送ベルト31を回転可能に配置する。搬送ベルト31を回転させ、搬送ベルト31の受入部13に対向する受入部側ベルト面34で、受入部13に受け入れた紙幣Ｐを内部へ向けて取り込む。搬送ベルト31を回転させ、搬送ベルト31の払出部14に対向する払出部側ベルト面35で、払出部14に送り出された紙幣Ｐを外部へ向けて払い出す。受入部13と払出部14とで搬送ベルト31を共用でき、簡素化および小形化できる。  【選択図】図１
2006302100.tif 000002
【特許請求の範囲】
【請求項１】
外部から紙幣を受け入れる受入部と、
この受入部に並設され、内部から送り出される紙幣を外部に払い出す払出部と、
これら受入部と払出部との間に回転可能に配置され、受入部に対向する回転面側で受入部に受け入れた紙幣を内部へ向けて取り込み、払出部に対向する回転面側で払出部に送り出された紙幣を外部へ向けて払い出す回転搬送体と
を具備していることを特徴とする紙幣処理装置。
【請求項２】
回転搬送体は、無端状の搬送ベルトである
ことを特徴とする請求項１記載の紙幣処理装置。
【請求項３】
受入部に受け入れた紙幣を内部へ向けて取り込むときに、受入部に受け入れた紙幣を回転搬送体に押さえる受入部側押さえ手段と、
払出部に送り出された紙幣を外部へ向けて払い出すときに、払出部に送り出された紙幣を回転搬送体に押さえる払出部側押さえ手段とを備えており、
前記受入部側押さえ手段と前記払出部側押さえ手段が同時に回転搬送体に対し押さえることがないよう制御する
ことを特徴とする請求項１または２記載の紙幣処理装置。
【請求項４】
受入部に受け入れた紙幣を内部へ向けて取り込むときに、回転搬送体と同一駆動で回転して紙幣を１枚ずつ分離する分離ローラを備えている
ことを特徴とする請求項１ないし３いずれか記載の紙幣処理装置。
【発明の詳細な説明】
【技術分野】
【０００１】
本発明は、外部からの紙幣の受け入れと外部への紙幣の払い出しとをする紙幣処理装置に関する。
【背景技術】
【０００２】
従来、例えば、両替機や券売機などの紙幣処理装置では、顧客によって装置外部から投入される紙幣を受入部に受け入れ、この受入部に受け入れた紙幣を受入部が備えた受入部用搬送機構によって装置内部へ向けて１枚ずつ取り込み、１枚ずつ取り込んだ紙幣を識別して収納している。また、紙幣返却時や釣銭紙幣払出時などには、払い出す紙幣を払出部に送り込んで一時保留し、この払出部に必要な紙幣が一時保留されたら、一時保留した紙幣を一括して払出部が備えた払出部用搬送機構によって装置外部へ向けて払い出している（例えば、特許文献１参照。）。
【特許文献１】特開平６−２９０３３０号公報（第４−５頁、図１）
【発明の開示】
【発明が解決しようとする課題】
【０００３】
しかしながら、受入部では、この受入部に受け入れた紙幣を装置内部へ向けて１枚ずつ取り込むために専用の受入部用搬送機構を必要とし、また、払出部では、この払出部に送り出された紙幣を一括して装置外部へ向けて払い出すために専用の払出部用搬送機構を必要としている。そのため、紙幣処理装置の構造が複雑で大形になる問題がある。
【０００４】
本発明は、このような点に鑑みなされたもので、簡素化および小形化できる紙幣処理装置を提供することを目的とする。
【課題を解決するための手段】
【０００５】
請求項１記載の紙幣処理装置は、外部から紙幣を受け入れる受入部と、この受入部に並設され、内部から送り出される紙幣を外部に払い出す払出部と、これら受入部と払出部との間に回転可能に配置され、受入部に対向する回転面側で受入部に受け入れた紙幣を内部へ向けて取り込み、払出部に対向する回転面側で払出部に送り出された紙幣を外部へ向けて払い出す回転搬送体とを具備しているものである。
【０００６】
そして、回転搬送体の受入部に対向する回転面側で受入部に受け入れた紙幣を内部へ向けて取り込み、回転搬送体の払出部に対向する回転面側で払出部に送り出された紙幣を外部へ向けて払い出し、受入部と払出部とで回転搬送体が共用される。
【０００７】
請求項２記載の紙幣処理装置は、請求項１記載の紙幣処理装置において、回転搬送体は、無端状の搬送ベルトであるものである。
【０００８】
そして、搬送ベルトを用いることにより、ベルト面で紙幣を搬送することが可能となり、紙幣の搬送が確実になる。
【０００９】
請求項３記載の紙幣処理装置は、請求項１または２記載の紙幣処理装置において、受入部に受け入れた紙幣を内部へ向けて取り込むときに、受入部に受け入れた紙幣を回転搬送体に押さえる受入部側押さえ手段と、払出部に送り出された紙幣を外部へ向けて払い出すときに、払出部に送り出された紙幣を回転搬送体に押さえる払出部側押さえ手段とを備えており、前記受入部側押さえ手段と前記払出部側押さえ手段が同時に回転搬送体に対し押さえることがないよう制御するものである。
【００１０】
そして、受入部側押さえ手段と払出部側押さえ手段とが同時に紙幣を回転搬送体に押さえることがなく、受入部と払出部とで回転搬送体を共用していても、受入動作および払出動作が確実になる。
【００１１】
請求項４記載の紙幣処理装置は、請求項１ないし３いずれか記載の紙幣処理装置において、受入部に受け入れた紙幣を内部へ向けて取り込むときに、回転搬送体と同一駆動で回転して紙幣を１枚ずつ分離する分離ローラを備えているものである。
【００１２】
そして、分離ローラを回転搬送体と同一駆動で回転させることにより、駆動部も共用される。
【発明の効果】
【００１３】
請求項１記載の紙幣処理装置によれば、並設された受入部と払出部との間に回転搬送体を回転可能に配置し、この回転搬送体の受入部に対向する回転面側で受入部に受け入れた紙幣を内部へ向けて取り込み、回転搬送体の払出部に対向する回転面側で払出部に送り出された紙幣を外部へ向けて払い出すことができ、受入部と払出部とで回転搬送体を共用し、簡素化および小形化できる。
【００１４】
請求項２記載の紙幣処理装置によれば、請求項１記載の紙幣処理装置の効果に加えて、回転搬送体として無端状の搬送ベルトを用いることにより、受入部に対向するベルト面で受入部に受け入れた紙幣を内部へ向けて取り込み、払出部に対向するベルト面で払出部に送り出された紙幣を外部へ向けて払い出すことができ、紙幣を確実に搬送できる。
【００１５】
請求項３記載の紙幣処理装置によれば、請求項１または２記載の紙幣処理装置の効果に加えて、受入部に受け入れた紙幣を内部へ向けて取り込むときのみ、受入部側押さえ手段によって受入部に受け入れた紙幣を回転搬送体に押さえ、また、払出部に送り出された紙幣を外部へ向けて払い出すときのみ、払出部側押さえ手段によって払出部に送り出された紙幣を回転搬送体に押さえるため、受入部側押さえ手段と払出部側押さえ手段とが同時に紙幣を回転搬送体に押さえることがなく、受入部と払出部とで回転搬送体を共用していても、受入動作および払出動作を確実にできる。
【００１６】
請求項４記載の紙幣処理装置によれば、請求項１ないし３いずれか記載の紙幣処理装置の効果に加えて、受入部に受け入れた紙幣を内部へ向けて取り込むときに紙幣を１枚ずつ分離する分離ローラを回転搬送体と同一駆動で回転させることにより、駆動部も共用でき、簡素化および小形化できる。
【発明を実施するための最良の形態】
【００１７】
以下、本発明の一実施の形態を図面を参照して説明する。
【００１８】
図４には、例えば両替機や券売機などに用いられる紙幣入出金装置である紙幣処理装置を示す。この紙幣処理装置は、機体である装置本体11を有し、この装置本体11の上部前面側には、顧客が例えば複数枚（混合金種含む）の紙幣を長手方向に投入する投入口、および顧客に例えば複数枚（混合金種含む）の紙幣を長手方向に一括して払い出す払出口を有する操作面12が形成されている。
【００１９】
装置本体11内には、操作面12の投入口の内側にこの投入口から投入された例えば複数枚（混合金種含む）の紙幣を長手方向に一括して受け入れる受入部13が配設され、操作面12の払出口の内側にこの払出口に例えば複数枚（混合金種含む）の紙幣を長手方向に一括して払い出す払出部14が配設され、これら受入部13および払出部14が上下に隣接して並設されている。そして、受入部13では、投入口から受け入れた紙幣を１枚ずつ分離して内部に取り込み、また、払出部14では、内部から送り出される紙幣を一時保留して必要な紙幣が一時保留されたら払出口に払い出すように構成されている。
【００２０】
さらに、これら受入部13および払出部14の下方に、払出時（出金時）のリジェクト紙幣を収納するリジェクト部16、払い出しに使用しない金種の紙幣を収納する金種別の複数の受入収納部17，18および払い出しに使用する金種の紙幣を１枚ずつ繰出可能に収納する金種別の複数の還流収納部19，20を含む収納部21が上下方向に並設されている。
【００２１】
また、装置本体11内の後部側には、受入部13、払出部14、リジェクト部16、受入収納部17，18および還流収納部19，20との間で紙幣を長手方向に搬送する搬送部22が配設されている。この搬送部22には、受入部13から１枚ずつ取り込まれる紙幣を識別する受入側（入金側）の識別部23、還流収納部19，20から放出するために１枚ずつ繰り出された紙幣を識別する払出側（出金側）の識別部24が配設されている。
【００２２】
そして、この搬送部22では、受入部13から取り込まれた紙幣を、受入側の識別部23を経て、還流収納部20，19、受入収納部18，17、リジェクト部16、払出部14のいずれかに搬送可能とし、さらに、還流収納部20，19から繰り出された紙幣を、払出側の識別部24を経て、リジェクト部16、払出部14のいずれかに搬送可能としている。そして、全体の制御は制御部25で行っている。
【００２３】
次に、図１には、受入部13および払出部14を示す。これら受入部13と払出部14とは上下方向に近接して並設されており、これら受入部13と払出部14との間に回転搬送体としての搬送ベルト31が配設されている。この搬送ベルト31は、プーリ32，33によって紙幣Ｐの受入方向および払出方向に対応した搬送方向に沿って張設されており、上面の受入部13に対向する回転面側が受入部側ベルト面34とされ、下面の払出部14に対向する回転面側が払出部側ベルト面35とされている。
【００２４】
受入部13側には、受入部13に受け入れた紙幣Ｐを搬送部22へ向けて取り込む受入動作時に、紙幣Ｐを搬送ベルト31の受入部側ベルト面34に押さえる受入部側押さえ手段36が配設されている。また、払出部14側には、払出部14に送り出された紙幣Ｐを払出口に払い出す払出動作時に、紙幣Ｐを搬送ベルト31の払出部側ベルト面35に押さえる払出部側押さえ手段37が配設されている。
【００２５】
受入部13側には、受入部13に受け入れた紙幣Ｐを搬送部22へ向けて取り込むときに、紙幣Ｐを１枚ずつ分離する分離ローラ38が配設されている。この分離ローラ38は、搬送ベルト31と同一駆動源で一体に駆動され、搬送ベルト31の受入部側ベルト面34の回転方向に対して逆転し、紙幣Ｐを１枚ずつ分離するように構成されている。
【００２６】
次に、図２には、受入部側押さえ手段36を示す。この受入部側押さえ手段36は、紙幣Ｐを搬送ベルト31の受入部側ベルト面34に押さえる紙幣押さえ41、およびこの紙幣押さえ41を搬送ベルト31の受入部側ベルト面34に対して接離する方向である上下方向に移動させる駆動機構42を有している。
【００２７】
紙幣押さえ41は、紙幣Ｐを押さえる押さえプレート43、およびこの押さえプレート43を先端に取り付けたアーム44を有し、このアーム44の基端が支軸45によって上下方向に揺動可能に支持され、支軸45にはレバー46が連結されている。
【００２８】
駆動機構42は、ソレノイド47を有し、このソレノイド47のプランジャ48がリンク49を介して連結されている。そして、ソレノイド47に通電して励磁することにより、紙幣押さえ41を上方へ揺動させて搬送ベルト31の受入部側ベルト面34との間に紙幣Ｐの挿入を許容する空間を形成し、また、ソレノイド47の通電を止めて励磁解除することにより、紙押さえ41が自重で下降して紙幣Ｐを搬送ベルト31の受入部側ベルト面34に押さえる。
【００２９】
次に、図３には、払出部側押さえ手段37を示し、この払出部側押さえ手段37は、紙幣Ｐを搬送ベルト31の払出部側ベルト面35に押さえる紙幣押さえ51、およびこの紙幣押さえ51を搬送ベルト31の払出部側ベルト面35に対して接離する方向である上下方向に移動させる駆動機構52を有している。
【００３０】
紙幣押さえ51は、搬送ベルト31の払出部側ベルト面35に対して平行に対向するプレート53、およびこのプレート53の上面から周面の一部が突出する状態で紙幣Ｐの搬送方向に沿ってそれぞれ回転自在に取り付けられた複数のローラ54を有している。
【００３１】
駆動機構52は、紙幣押さえ51を上下方向に移動させる昇降機構55、およびこの昇降機構55を駆動するソレノイド56を有している。昇降機構55は、一対のリンク57，58を中間で連結して紙幣押さえ51を昇降可能に支持したパンタグラフ構造が用いられている。ソレノイド56のプランジャ59が支軸60を支点として回動可能とするレバー61に連結され、このレバー61と昇降機構の一方のリンク57との間にスプリング62が張設されている。そして、ソレノイド56に通電して励磁することにより、昇降機構55を介して紙幣押さえ51を上昇させて紙幣Ｐを搬送ベルト31の払出部側ベルト面35に押さえ、また、ソレノイド56の通電を止めて励磁解除とすることにより、紙幣押さえ51の自重で、紙幣押さえ51が下降して搬送ベルト31の払出部側ベルト面35との間に紙幣Ｐを受け入れて一時保留する空間を形成する。
【００３２】
次に、本実施の形態の作用を説明する。
【００３３】
まず、紙幣Ｐの受入動作について説明する。
【００３４】
この紙幣Ｐの受入時には、予め、受入部側押さえ手段36のソレノイド47をオンして紙幣押さえ41を上昇させ、この紙幣押さえ41と搬送ベルト31の受入部側ベルト面34との間に複数枚の紙幣Ｐを一括して受け入れ可能とする受入空間を形成しておく。
【００３５】
そして、例えば複数枚（混合金種含む）の紙幣Ｐが操作面12の投入口を通じて受入部13に一括して挿入される。このとき、紙幣Ｐは搬送ベルト31の受入部側ベルト面34と紙幣押さえ41との間の挿入空間に挿入される。
【００３６】
受入部13への紙幣Ｐの挿入を図示しないセンサで検知することにより、ソレノイド47をオフする。これにより、紙幣押さえ41が自重で下降して紙幣Ｐを搬送ベルト31の受入部側ベルト面34に押さえる。このとき、払出部側押さえ手段37のソレノイド56をオフにして、搬送ベルト31を押えないようにしておく。
【００３７】
搬送ベルト31を取込方向に回転駆動し、同時に分離ローラ38を搬送ベルト31と逆方向に回転駆動する。これにより、搬送ベルト31の受入部側ベルト面34に接する１枚の紙幣Ｐが分離ローラ38の下側を通解して内部の搬送部22に取り込み、この取り込む１枚の紙幣Ｐに重なる紙幣Ｐの取り込みを逆転する分離ローラ38で規制する。したがって、受入部13からは紙幣Ｐを１枚ずつ搬送部22に取り込む。
【００３８】
搬送部22に１枚ずつ取り込んだ紙幣Ｐを搬送部22で搬送して識別部23で識別し、正規の紙幣Ｐは収納部21の対応する金種の収納箇所に搬送して収納する。
【００３９】
なお、識別の結果、例えば識別不能や２枚重なりなどでリジェクト紙幣と識別されたリジェクト紙幣は払出部14まで搬送して一時保留する。このとき、払出部14では、予め、払出部側押さえ手段37のソレノイド56をオフして紙幣押さえ51を下降させているので、この紙幣押さえ51と搬送ベルト31の払出部側ベルト面35との間に複数枚の紙幣Ｐを一括して一時保留可能な一時保留空間を形成しているため、その一時保留空間にリジェクト紙幣を一時保留する。そして、投入された全ての紙幣Ｐの収納部21への収納または払出部14への一時保留が完了した後、払出部14に一時保留されたリジェクト紙幣を払出口に払い出して返却する。このときのリジェクト紙幣の払出動作は次に説明する紙幣Ｐの払出動作と同様である。
【００４０】
次に、紙幣Ｐの払出動作について説明する。
【００４１】
この紙幣Ｐの払出時には、予め、払出部側押さえ手段37のソレノイド56をオフして紙幣押さえ51を下降させ、この紙幣押さえ51と搬送ベルト31の払出部側ベルト面35との間に複数枚の紙幣Ｐを一括して一時保留可能な一時保留空間を形成しておく。
【００４２】
そして、払い出しに必要な金種を収納する還流収納部19，20から紙幣Ｐを１枚ずつ搬送部22に送り出し、識別部24で識別する。
【００４３】
正常な紙幣Ｐは払出部14に搬送して一時保留する。また、例えば識別不能や２枚重なりでリジェクト紙幣と識別された場合には、そのリジェクト紙幣をリジェクト部16に搬送して収納し、不足分の紙幣Ｐを還流収納部19，20から追加して送り出す。
【００４４】
払い出しに必要な紙幣Ｐが払出部14に一時保留されたら、払出部側押さえ手段37のソレノイド56をオンして紙幣押さえ51を上昇させ、この紙幣押さえ51上の紙幣Ｐを搬送ベルト31の払出部側ベルト面35に押さえる。このとき、払出部側押え手段37のソレノイド56をオフにして、搬送ベルト31を押さえないようにしておく。受入部側押さえ手段36のソレノイド47はオンにして、搬送ベルト31を押さえないよう制御しておく。
【００４５】
搬送ベルト31を払出方向に回転駆動し、搬送ベルト31の払出部側ベルト面35と紙幣押さえ51との間に挟み込んでいる複数枚の紙幣Ｐを一括して払出口に払い出す。
【００４６】
紙幣Ｐを払い出した後は、次の払出動作に備えて、払出部側押さえ手段37のソレノイド56をオフして紙幣押さえ51を下降させ、この紙幣押さえ51と搬送ベルト31の払出部側ベルト面35との間に複数枚の紙幣Ｐを一括して一時保留可能な一時保留空間を形成しておく。
【００４７】
このように、受入部13と払出部14との間に搬送ベルト31を回転可能に配置し、この搬送ベルト31の受入部13に対向する回転面側である受入部側ベルト面34で受入部13に受け入れた紙幣Ｐを内部の搬送部22へ向けて取り込み、搬送ベルト31の払出部14に対向する回転面側である払出部側ベルト面35で払出部14に送り出された紙幣Ｐを外部の払出口へ向けて払い出すことができ、受入部13と払出部14とで搬送ベルト31を共用して部品点数を削減し、簡素化および小形化できる。特に、受入部13と払出部14とが並設された上下方向の寸法を小さくでき、紙幣処理装置全体として上下方向の高さ寸法を小さくできる。
【００４８】
また、受入部13に受け入れた紙幣Ｐを内部の搬送部22へ向けて取り込むときに、受入部側押さえ手段36によって受入部13に受け入れた紙幣Ｐを搬送ベルト31に押さえ、払出部側押さえ手段37は搬送ベルト31を押さえないようにし、また、払出部14に送り出された紙幣Ｐを外部の払出口へ向けて払い出すときに、払出部側押さえ手段37によって払出部14に送り出された紙幣Ｐを搬送ベルト31に押さえ、受入部側押さえ手段36は搬送ベルト31を押さえないようにしているため、受入部側押さえ手段36と払出部側押さえ手段37とが同時に紙幣Ｐを搬送ベルト31に押さえることがなく、受入部13と払出部14とで搬送ベルト31を共用していても、紙幣Ｐの受入動作および払出動作を確実にできる。
【００４９】
また、受入部13に受け入れた紙幣Ｐを内部へ向けて取り込むときに紙幣Ｐを１枚ずつ分離する分離ローラ38を搬送ベルト31と同一駆動で回転させることにより、搬送ベルト31と駆動部を共用でき、より簡素化および小形化できる。
【００５０】
また、無端状の搬送ベルト31を用いることにより、受入部側ベルト面34および払出部側ベルト面35で紙幣Ｐに面接触しながら、紙幣Ｐを確実に搬送できる。
【００５１】
なお、回転搬送体としては、搬送ベルト31に限らず、搬送ローラなどを用いても、同様の作用効果が得られる。
【００５２】
また、受入部13と払出部14との上下関係を逆にし、搬送ベルト31の下面側を受入部13、上面側を払出部14に使用してもよい。さらに、受入部13および払出部14を左右方向に並設し、搬送ベルト31の一側面を受入部13、他側面を払出部14に使用してもよい。
【００５３】
また、紙幣Ｐの受入方向、払出方向、および搬送方向は、紙幣Ｐの長手方向に限らず、短手方向でもよい。
【図面の簡単な説明】
【００５４】
【図１】本発明の一実施の形態を示す紙幣処理装置の受入部および払出部の側面図である。
【図２】同上紙幣処理装置の受入部側押さえ手段の側面図である。
【図３】同上紙幣処理装置の払出部側押さえ手段の側面図である。
【図４】同上紙幣処理装置の全体の構成図である。
【符号の説明】
【００５５】
13    受入部
14    払出部
25    制御部
31    回転搬送体としての搬送ベルト
36    受入部側押さえ手段
37    払出部側押さえ手段
38    分離ローラ
Ｐ    紙幣
【図１】
2006302100.tif 000003
【図２】
2006302100.tif 000004
【図３】
2006302100.tif 000005
【図４】
2006302100.tif 000006